(57)【要約】【課題】  この発明は、種々の幅の陳列棚に容易に対応できる照明装置を提供する。【解決手段】  この発明は、複数の発光素子を備え、棚板の下面又は下部に取り付けられる陳列棚の照明装置Ｌにおいて、前記照明装置は、本体カバー１と、本体カバー１内に収容され複数の発光素子を保持するベースフレーム２と、本体カバー１端部とベースフレーム２との間のスペースに挿入されるスペーサ部材４と、本体カバー１に取り付けられる本体エンド５とを備え、スペーサ部材４は、ベースフレーム２と当接する本体部４０と、この本体部４０の両側部に本体部と直交する方向に延在して突出部４１とを有し、突出部４１は本体カバー１とベースフレーム２との間のスペースに対応する長さに調整されている。【選択図】  図１５
2015039491.tif 000002
【特許請求の範囲】
【請求項１】
複数の発光素子を備え、棚板の下面又は下部に取り付けられる陳列棚の照明装置において、
前記照明装置は、本体カバーと、この本体カバー内に収容され前記複数の発光素子を保持するベースフレームと、前記本体カバーと前記ベースフレームとの間のスペースに挿入されるスペーサ部材と、前記本体カバーに取り付けられる本体エンドとを備え、前記スペーサ部材は、前記ベースフレームと当接する本体部と、この本体部の両側部に本体部と直交する方向に延在して突出部とを有し、前記突出部は前記本体カバーとベースフレームとの間のスペースに対応する長さに調整されていることを特徴とする陳列棚の照明装置。
【請求項２】
前記本体カバーは、平板状の立方体に形成され、陳列棚の棚板側と面する側は平板部が形成され、この平板部と対向する側に矩形状の開口部が形成され、前記平板部の両側に側面部が形成され、前記開口部の両側には、それぞれの側面部に隣接する棚部が形成されていることを特徴とする請求項１に記載の陳列棚の照明装置。
【請求項３】
前記複数の発光素子を取り付けた基板を有し、前記ベースフレームは、前記基板が取り付けられるテーパー面と、このテーパー面に対向するように設けられ前記本体部の開口部に対応した開口部を有する反射面と、前記本体カバーの棚部上に載置されるように形成された棚部と、前記ベースフレームの開口部に設けられた溝と、前記ベースフレーム端部に設けられた前記基板の発光素子に電力を供給するコネクタとを備え、前記本体カバーの棚部上に前記棚部が載置され、前記本体カバーにベースフレームが保持され、前記ベースフレームの溝に拡散板が挿入され、前記発光素子からの光が前記反射面により、前記開口部方向へ反射され、前記拡散板から放射されることを特徴とする請求項２に記載の陳列棚の照明装置。
【請求項４】
前記スペーサ部材の突出部は、前記拡散板を支える支持部と、前記本体カバーの棚部上に載置される段部とを有し、前記支持部の外表面は、スペーサ部材を本体カバーに装着した際、前記ベースフレームの溝の外表面と面一になるように形成されていることを特徴とする請求項３に記載の陳列棚の照明装置。
【請求項５】
前記突出部の支持部のベースフレーム側の表面には、前記突出部の長さを示すスケールが設けられていることを特徴とする請求項４に記載の陳列棚の照明装置。
【請求項６】
前記スペーサ部材の本体部に、前記ベースフレームの反射面と連なる反射面が設けられていることを特徴とする請求項３ないし請求項５のいずれか１項に記載の陳列棚の照明装置。
【請求項７】
前記スペーサ部材の本体部に、前記ベースフレームと係合する凸部が設けられていることを特徴とする請求項３ないし請求項６のいずれか１項に記載の陳列棚の照明装置。
【請求項８】
前記スペーサ部材の本体部に、前記基板のコネクタが挿入される溝部が設けられていることを特徴とする請求項３ないし請求項７のいずれか１項に記載の陳列棚の照明装置。
【請求項９】
前記本体エンドには、前記拡散板を支持する突出部が設けられていることを特徴とする請求項３に記載の陳列棚の照明装置。
【請求項１０】
前記スペーサ部材は、本体部と、この本体部と直交する方向に延在する板状の突出部とを有し、前記突出部は前記本体カバーとベースフレームとの間のスペースに対応する長さに調整されていることを特徴とする請求項１ないし請求項３のいずれか1項に記載の陳列棚の照明装置。
【請求項１１】
前記突出部は、前記拡散板を支える支持部と、前記本体カバーの棚部上に載置される段部とを有し、前記支持部の外表面は、スペーサ部材を本体カバーに装着した際、前記ベースフレームの溝の外表面と面一になるように形成されていることを特徴とする請求項１０に記載の陳列棚の照明装置。
【請求項１２】
前記突出部の支持部のベースフレーム側の表面には、前記突出部の長さを示すスケールが設けられていることを特徴とする請求項１１に記載の陳列棚の照明装置。
【発明の詳細な説明】
【技術分野】
【０００１】
この発明は、商品陳列棚等に用いられる照明装置に関し、この照明装置により下側に位置する棚板上の商品等の照明を行う陳列棚の照明装置に関するものである。
【背景技術】
【０００２】
店舗用の什器に付設される照明装置には、いろいろな種類がある。例えば、商品陳列棚では、棚板を多段状に取り付けて構成し、下段棚板上の陳列商品を照明して商品陳列効果を高めるための照明装置が棚板の下面に取り付けられる。
【０００３】
従来、この照明の光源には蛍光灯が一般的に使用されていた。蛍光灯を用いた棚板用の照明装置では、棚板の下面前部に前面幅方向に沿って蛍光灯が取り付けられ、両端に取り付けられたソケットを介して給電され、下段棚板上の陳列商品を照明している。
【０００４】
上記した蛍光灯や、その他の照明装置である白熱電球、スポットライト等の照明光源は、光源の発熱量が大きく、消費電力も多い。このような事情から、近年、発熱や消費電力が少ない発光ダイオード（ＬＥＤ）が注目され、照明装置を発光ダイオードで構成するものが増えている。
【０００５】
棚板のフロント側の端部の下側へ発光ダイオードを使用した照明装置を取り付ける棚構造の照明装置の一例が特許文献１に開示されている。
【０００６】
この照明装置は、棚板のフロント側の端部の下面に内部に発光ダイオード列を有する基板を取り付けたフレーム本体が取り付けられる。この発光ダイオード列からの光を反射するための反射部材と、発光ダイオード列をカバーする透光部を有するカバー部材とがそれぞれフレーム本体に取り付けられている。
【０００７】
そして、発光ダイオード列からの光が反射部材により透光部に向けられ、広い範囲で商品を照明する。
【先行技術文献】
【特許文献】
【０００８】
【特許文献１】特開２０１０−２５１２９４号公報
【発明の概要】
【発明が解決しようとする課題】
【０００９】
ところで、陳列棚の幅は種々のサイズのものがある。上記した照明装置においては、発光ダイオード列を有する基板や反射板を陳列棚の幅に応じたものだけ用意する必要があり、基板や反射板を多種類準備することになり、その分コストが嵩むという難点がある。
【００１０】
また、陳列棚の幅を変更し、それに対応する基板等がない場合には、基板を準備するまでに時間を要し、陳列棚の幅の変更などには直ちに対応できないなどの難点があった。
【００１１】
この発明の目的は、上記した従来の難点に鑑みなされたものにして、種々の幅の陳列棚に容易に対応できる照明装置を提供することにある。
【課題を解決するための手段】
【００１２】
この発明は、複数の発光素子を備え、棚板の下面又は下部に取り付けられる陳列棚の照明装置において、前記照明装置は、本体カバーと、この本体カバー内に収容され前記複数の発光素子を保持するベースフレームと、前記本体カバーと前記ベースフレームとの間のスペースに挿入されるスペーサ部材と、前記本体カバーに取り付けられる本体エンドとを備え、前記スペーサ部材は、前記ベースフレームと当接する本体部と、この本体部の両側部に本体部と直交する方向に延在して突出部とを有し、前記突出部は前記本体カバーとベースフレームとの間のスペースに対応する長さに調整されていることを特徴とする。
【００１３】
また、前記本体カバーは、平板状の立方体に形成され、陳列棚の棚板側と面する側は平板部が形成され、この平板部と対向する側に矩形状の開口部が形成され、前記平板部の両側に側面部が形成され、前記開口部の両側には、それぞれの側面部に隣接する棚部が形成されているように構成することができる。
【００１４】
また、前記複数の発光素子を取り付けた基板を有し、前記ベースフレームは、前記基板が取り付けられるテーパー面と、このテーパー面に対向するように設けられ前記本体部の開口部に対応した開口部を有する反射面と、前記本体カバーの棚部上に載置されるように形成された棚部と、前記ベースフレームの開口部に設けられた溝と、前記ベースフレーム端部に設けられた前記基板の発光素子に電力を供給するコネクタとを備え、前記本体カバーの棚部上に前記棚部が載置され、前記本体カバーにベースフレームが保持され、前記ベースフレームの溝に拡散板が挿入され、前記発光素子からの光が前記反射面により、前記開口部方向へ反射され、前記拡散板から放射されるように構成することができる。
【００１５】
また、前記スペーサ部材の突出部は、前記拡散板を支える支持部と、前記本体カバーの棚部上に載置される段部とを有し、前記支持部の外表面は、スペーサ部材を本体カバーに装着した際、前記ベースフレームの溝の外表面と面一になるように形成されているように構成することができる。
【００１６】
また、前記突出部の支持部のベースフレーム側の表面には、前記突出部の長さを示すスケールを設けるとよい。
【００１７】
また、前記スペーサ部材の本体部に、前記ベースフレームの反射面と連なる反射面を設けるとよい。
【００１８】
また、前記スペーサ部材の本体部に、前記ベースフレームと係合する凸部が設けられているように構成することができる。
【００１９】
また、前記スペーサ部材の本体部に、前記基板のコネクタが挿入される溝部を設けるとよい。
【００２０】
また、前記本体エンドには、前記拡散板を支持する突出部を設けるとよい。
【００２１】
また、前記スペーサ部材は、本体部と、この本体部と直交する方向に延在する板状の突出部とを有し、前記突出部は前記本体カバーとベースフレームとの間のスペースに対応する長さに調整されているように構成することができる。
【００２２】
また、前記突出部は、前記拡散板を支える支持部と、前記本体カバーの棚部上に載置される段部とを有し、前記支持部の外表面は、スペーサ部材を本体カバーに装着した際、前記ベースフレームの溝の外表面と面一になるように形成されているように構成することができる。
【００２３】
また、前記突出部の支持部のベースフレーム側の表面には、前記突出部の長さを示すスケールが設けられているように構成することができる。
【発明の効果】
【００２４】
この発明は、棚板の幅に応じて種々用意された本体カバーに対して、本体カバーの端部とベースフレームの端部との間のスペースにスペーサ部材を挿入することで、種々の棚板に容易に対応することができる。
【図面の簡単な説明】
【００２５】
【図１】この発明の実施形態にかかる陳列棚の照明装置を示す斜視図である。
【図２】この発明の実施形態にかかる陳列棚の照明装置を照明側から見た斜視図である。
【図３】この発明の実施形態にかかる陳列棚の照明装置に用いられる本体カバーを示す斜視図である。
【図４】この発明の実施形態にかかる陳列棚の照明装置に用いられるベースフレームを示す斜視図である。
【図５】この発明の実施形態にかかる陳列棚の照明装置に用いられるＬＥＤ基板を取り付けたベースフレームを示す斜視図である。
【図６】この発明の第１の実施形態にかかる陳列棚の照明装置において、本体カバーにベースフレームと拡散板を取り付けた状態の側面図である。
【図７】この発明の第１の実施形態にかかる陳列棚の照明装置において、本体カバーにベースフレーム、スペーサ部材と拡散板を取り付けた状態の側面図である。
【図８】この発明の第１の実施形態にかかる陳列棚の照明装置の本体エンドを取り付けた側とは逆の面から見た側面図である。
【図９】この発明の第１の実施形態にかかる陳列棚の照明装置の側面図である。
【図１０】この発明の第１の実施形態にかかる陳列棚の照明装置に用いられるスペーサ部材を示し、（ａ）は斜視図、（ｂ）は底面図である。
【図１１】この発明の第１の実施形態にかかる陳列棚の照明装置に用いられるスペーサ部材を示し、（ｃ）は左側面図、（ｄ）は右側面図、（ｅ）は上面図である。
【図１２】この発明の第１の実施形態にかかる陳列棚の照明装置に用いられるスペーサ部材を示し、（ｆ）は正面図、（ｇ）は背面図である。
【図１３】この発明の実施形態にかかる陳列棚の照明装置に用いられる本体エンド部材を示し、（ａ）は斜視図、（ｂ）は上面図、（ｃ）は背面図である。
【図１４】この発明の実施形態にかかる陳列棚の照明装置に用いられる本体エンド部材を示し、（ｄ）は左側面図、（ｅ）は右側面図、（ｆ）は正面図、（ｇ）は底面図である。
【図１５】この発明の第１の実施形態にかかる陳列棚の照明装置の分解斜視図である。
【図１６】この発明の第１の実施形態にかかる陳列棚の照明装置の要部を示す分解斜視図である。
【図１７】この発明の第１の実施形態にかかる陳列棚の照明装置を照明側から見た分解平面図である。
【図１８】この発明の第１の実施形態にかかる陳列棚の照明装置を照明側から見た平面図である。
【図１９】この発明の第１の実施形態にかかる陳列棚の照明装置を照明側から見た平面図である。
【図２０】この発明の第１の実施形態にかかる陳列棚の照明装置を背面側から見た分解平面図である。
【図２１】この発明の第１の実施形態にかかる陳列棚の照明装置の分解側面図である。
【図２２】この発明に用いられるベースフレーム同士を連結する連結部材を示し、（ａ）は斜視図、（ｂ）は側面図、（ｃ）は正面図である。
【図２３】ベースフレームに連結部材を取り付ける状態を示す斜視図である。
【図２４】この発明の実施形態にかかる陳列棚の照明装置に用いられるウッドキャップ部材を示し、（ａ）は斜視図、（ｂ）は上面図、（ｃ）は正面図、（ｄ）は左側面図、（ｅ）は右側面図、（ｆ）は背面図、（ｇ）は底面図である。
【図２５】この発明の実施形態にかかる陳列棚の照明装置を照明側から見た斜視図である。
【図２６】この発明の実施形態にかかる陳列棚の照明装置の端部を背面側から見た平面図である。
【図２７】この発明の実施形態にかかる陳列棚の照明装置の端部を背面側から見た平面図である。
【図２８】この発明の実施形態にかかる陳列棚の照明装置の端部を背面側から見た平面図である。
【図２９】この発明の実施形態にかかる陳列棚の照明装置の端部の側面図である。
【図３０】この発明の実施形態にかかる陳列棚の照明装置の端部の側面図である。
【図３１】この発明の実施形態にかかる陳列棚の照明装置を木板の棚板に取りけた状態を示す平面図である。
【図３２】陳列棚へこの発明の実施形態にかかる照明装置を取り付けた状態を示す斜視図である。
【図３３】この発明の実施形態にかかる照明装置の本体カバーにフラットホルダーを取り付ける状態を示す斜視図である。
【図３４】この発明の実施形態にかかる照明装置の本体カバーにフラットホルダーを取り付けた状態を示す斜視図である。
【図３５】この発明の実施形態にかかる照明装置を連続するスパンのブラケットに取り付ける状態を示す平面図である。
【図３６】この発明の実施形態にかかる照明装置の本体カバーにスライドホルダーを取り付ける状態を示す斜視図である。
【図３７】この発明の実施形態にかかる照明装置の本体カバーにスライドホルダーを取り付けた状態を示す斜視図である。
【図３８】スライドホルダーを用いて照明装置をブラケットに取り付ける状態を示す模式図であり、（ａ）は回転させる状態。（ｂ）は取り付けた状態を示している。
【図３９】この発明の第２の実施形態のスペーサ部材を示し、（ａ）は斜視図、（ｂ）は底面図である。
【図４０】この発明の第２の実施形態のスペーサ部材を示す上面図である。
【図４１】この発明の第２の実施形態のスペーサ部材を示し、（ａ）は左側面図、（ｂ）は右側面図、（ｃ）は正面図、（ｄ）は背面図である。
【図４２】この発明の第２の実施形態にかかる陳列棚の照明装置を照明側から見た平面図である。
【図４３】この発明の第２の実施形態にかかる陳列棚の照明装置を照明側から見た平面図である。
【発明を実施するための形態】
【００２６】
この発明の実施の形態について図面を参照しながら詳細に説明する。なお、図中同一または相当部分には同一符号を付し、説明の重複を避けるためにその説明は繰返さない。
【００２７】
図１は、この発明の実施形態にかかる陳列棚の照明装置を示す斜視図、図２は、陳列棚の照明装置を照明側から見た斜視図である。図１及び図２に示すように、この発明の照明装置Ｌは、本体カバー１と、複数の発光素子としてのＬＥＤ光源を取り付けたＬＥＤ基板を保持するベースフレーム２と、拡散板３、本体カバー１に取り付けられる一対のスペーサ部材４、４と、スペーサ部材４の外側に取り付けられる一対の本体エンド５、５とを備える。本体エンド５は本体カバー１にねじ９０により固定される。
【００２８】
図３は、この発明の実施形態にかかる陳列棚の照明装置に用いられる本体カバーを示す斜視図、図４は、この発明の実施形態にかかる陳列棚の照明装置に用いられるベースフレーム部分を示す斜視図で、図５はＬＥＤ基板を取り付けたベースフレームを示す斜視図である。
【００２９】
図１から図５に示すように、本体カバー１は、例えば、アルミニウムの押し出し成形等により平板状の立方体に形成されている。陳列棚の棚板側と面する側は平板部１０が形成され、この平板部１０と対向する側に矩形状の開口部１２が形成されている。側面部１３、１１が平板部１０の両側面に隣接して形成されている。一方の側面部１１には、後述するフラットホルダーやスライドホルダーの差し込み片と係合する一対の爪部１１ａ、１１ａが設けられている。開口部１２の両側には、側面部１３に隣接する棚部１４、側面部１１に隣接する棚部１５がそれぞれ設けられている。平板部１０の内側にはベースフレーム２の突出部２１と当接する壁部１６が設けられている。
【００３０】
壁部１６と側面部１１との間の空間には、後述するように、ＬＥＤ基板２０のコネクタに接続されたリード線が照明装置Ｌの保管時などに収容される。リード線の先端には、コネクタが設けられ、このコネクタも保管時には、壁部１６と側面部１１との間の空間に収納される。また、本体カバー１には、本体エンド５、５をねじ９０で固定するためのねじ穴１７、１７（図６〜図９参照）が設けられている。
【００３１】
図４及び図５に示すように、ベースフレーム２は、例えば、アルミニウムの押し出し成形等により形成され、複数のＬＥＤ光源２０ｅを有するＬＥＤ基板２０が取り付けられるテーパー面２０ａが設けられている。このテーパー面２０ａに対向するように反射面２２が設けられ、光の反射をよくするために、反射シートが設けられている。この反射面２２は、本体カバー１の開口部１２に対応し、開口部１２より一回りほど小さな開口部が形成される。そして、ＬＥＤ基板２０に設けられたＬＥＤ光源２０ｅからの光が反射面２２により、本体カバー１の開口部１２方向へ反射される。また、ベースフレーム２を光の反射を効率よく行うために、白色に着色してもよい。
【００３２】
ベースフレーム２の反射面２２の背面側の一部は前記本体カバー１の平板部１０に当接するように平板状に形成され、開口部１２方向に向かってアーチ状に形成されている。反射面２２の背面には、本体カバー１の平板部１０及び壁部１６に当接し、ベースフレーム２の位置決めを行う突出部２１が設けられている。そして、ベースフレーム２には、本体カバー１の棚部１４上に載置される棚部２３、本体カバー１の棚部１５上に載置される棚部２４が形成されている。
【００３３】
ＬＥＤ基板２０の両端には、ＬＥＤ光源２０ｅに電力を供給するコネクタ２０ｂが設けられている。このコネクタ２０ｂは、雄雌一対のプラグを有し、ベースフレーム２の端部より突出している。このコネクタ２０ｂにリード線２０ｄのコネクタ２０ｃを接続し、照明装置Ｌの外部にリード線が導出され、外部からの電源の供給がなされる。また、隣接するベースフレーム２間のＬＥＤ基板２０同士は、互いのコネクタ２０ｂで接続される。
【００３４】
ベースフレーム２の開口部には、拡散板３を挿入するための溝部２５、２５が形成されている。棚部２３の下方とテーパー面２０ａの背面との楔形の空間２３ａには、後述するようにスペーサ部材４の凸部４８、ベースフレーム２同士を接続する際の連結部材９が嵌め込まれる。
【００３５】
図６から図９は、この発明の実施形態にかかる陳列棚の照明装置の側面図である。図６から図９に示すように、本体カバー１の棚部１４、１５にベースフレーム２の棚部２３、２４を載せるようにしてスライドさせて本体カバー１内にベースフレーム２を差し込む。そして、所定の位置までベースフレーム２をスライドさせて、本体カバー１内にベースフレーム２が装着され、保持される。ＬＥＤ基板２０のコネクタ２０ｂに接続され引き出されるリード線は本体カバー１の側面部１３とベースフレーム２との間の空間に引き込まれ、本体カバー１の外部まで案内される。
【００３６】
ベースフレーム２の溝部２５、２５間に、拡散板３を挿入し、拡散板３を取り付ける。ＬＥＤ光源２０ｅからの光は反射面２２で反射され、拡散板３から光が放射される。
【００３７】
ところで、この発明の照明装置Ｌにおいては、本体カバー１は、棚板の幅に応じて種々用意されるが、ベースフレーム２は、３種類程度のサイズのものを用意し、複数のベースフレーム２を組み合わせて所定の長さになるように構成している。このため、本体カバー１の長さによっては、ベースフレーム２の長さが短くなる場合が生じる。そこで、この発明の実施形態にかかる照明装置Ｌにおいては、図１５から図２１に示すように、本体カバー１の端部とベースフレーム２の端部との間のスペースにスペーサ部材４を挿入し、その間の空間を埋めるように構成している。
【００３８】
スペーサ部材４は、本体カバー１の左右にそれぞれ取り付けられるもので、スペーサ部材４は、左右対象に形成されている。図１０〜図１２に示すスペーサ部材４は、例えば、左側のスペーサ部材を示している。スペーサ部材は、左右対称である以外は、左側も右側も同一の構成になっている。
【００３９】
スペーサ部材４は、例えば、樹脂成形により形成され、スペーサ部材４の本体部４０一方の面の両側部に本体部４０と直交する方向に延在して一対の突出部４１が形成されている。スペーサ部材４の本体部の他方の面は、ベースフレーム２の端部と当接する。この本体部４０の幅はこの実施形態においては、１０ｍｍの長さを有している。この第１の実施形態では、突出部４１は４５ｍｍの長さを有している。左右に一対のスペーサ部材４を本体カバー１に取り付けるので、本体カバー１とベースフレーム２との間のスペースを０から１１０ｍｍの範囲で補うことが可能である。
【００４０】
突出部４１は、拡散板３を支える支持部４１ａと、本体カバー１の棚部１４又は棚部１５の上に載置される段部４１ｂとを有する。この段部４１ｂは支持部４１ａの上面よりベースフレーム２の溝部２５の幅の分だけ上に段差を有して形成されている。支持部４１ａの外表面は、スペーサ部材４を装着した際、ベースフレーム２の溝部２５の外表面と面一になるように形成されている。そして、その色合いもベースフレーム２の外表面と同じにし、スペーサ部材４を装着して照明側から見ても違和感がないように構成している。
【００４１】
支持部４１ａの拡散板３を支持する側の表面には、突出部４１の長さを示すスケールが設けられている。本体カバー１とベースフレーム２との間の隙間に対応して突出部４１の長さを切断し調整する際に、このスケールにより容易に切断加工が行える。
【００４２】
本体部４０には、本体カバー１の壁部１６に当接し、ベースフレーム２の突出部２１と連接する突出部４７が設けられている。更に、本体部４０には、本体カバー１の棚部１５上に載置される棚部４４が設けられ、この棚部４４は、スペーサ部材４を取り付けた際に、ベースフレーム２の棚部２４と連なるように構成されている。また、本体部４０に、ベースフレーム２の反射面２２と連なる反射面４２ａを有する凸部４２が設けられている。更に、本体部４０に、拡散板３が挿入される溝部４５が設けられている。
【００４３】
また、スペーサ部材４の本体部４０には、ベースフレーム２の楔形の空間２３ａと係合する凸部４８が設けられている。更に、本体部４０には、ＬＥＤ基板２０のコネクタ２０ｂが挿入される溝部４６が設けられている。この溝部４６にリード線２０ｄのコネクタ２０ｃが挿入され、ＬＥＤ基板２０のコネクタ２０ｂとリード線２０ｄが接続される。
【００４４】
図７に示すように、本体部４０をベースフレーム２側に位置させ、スペーサ部材４の棚部４４を本体カバー１の棚部１４、棚部１５に係合するように、本体カバー１の棚部１４、棚部１５上に装着し、ベースフレーム２の楔形の空間２３ａに本体部４０の凸部４８を係合させると、ベースフレーム２の端部に本体部４０が当接して、スペーサ部材４が取り付けられ、本体カバー１と一体化する。ＬＥＤ基板２０のコネクタ２０ｂは溝部４６内に挿入され、この溝部４６にリード線のコネクタ２０ｃを挿入し、両コネクタを接続し、リード線２０ｄは本体カバー１の側面部１３とベースフレーム２との間の空間に案内され、本体カバー１の外部まで案内される。
【００４５】
スペーサ部材４を取り付けた後、本体エンド５が取り付けられる。本体エンド５は、スペーサ部材４を取り付けた本体カバー１の左右にそれぞれ取り付けられるもので、左右の本体エンド５は、左右対象に形成されている。図１３及び図１４は、例えば、左側の本体エンド５を示し、本体エンド５は、左右対称である以外は、左側も右側も同一の構成になっている。
【００４６】
本体エンド５は、本体カバー１と対向する面に拡散板３を支持する突出片５７と拡散板３が挿入されるだけの間隔を有して一対の突片５６が設けられている。
【００４７】
本体エンド５には、リード線２０ｄが引き出される窓部５１、ウッドキャップ６を取り付けるための開口部５２、コネクタを収容するための窓部５３が設けられている。
【００４８】
本体エンド５には、フラットホルダーやスライドホルダーの差し込み片が挿入される一対の爪部５５、５５が設けられている。そして、本体カバー１に設けられたねじ穴１７、１７に対応する位置にねじ穴５４、５４が設けられている。
【００４９】
図９に示すように、突出片５７と一対の突片５６の間に拡散板３をはめ込み、本体エンド５を仮止めした後、ねじ穴５４、５４にねじ９０をねじ込むことで、本体カバー１に本体エンド５が固定される。
【００５０】
本体カバー１に本体エンド５を取り付けると、本体カバー１、ベースフレーム２の端面及びスペーサ部材４は本体エンド５により覆われる。そして、リード線を引き出す窓部５１、コネクタを収容する窓部５３、ウッドキャップ６を取り付けるための開口部５２が露出した状態となる。
【００５１】
木の棚板の下側にこの発明の照明装置Ｌを取り付ける場合には、ウッドキャップ６を本体エンド５に取り付ける。ウッドキャップ６は、本体エンド５を取り付けた本体カバー１の左右にそれぞれ取り付けられるもので、左右のウッドキャップ６、６は、左右対象に形成されている。図２４は、左側のウッドキャップ部材を示し、左右対称である以外は、左側も右側も同一の構成になっている。
【００５２】
ウッドキャップ６は、例えば、樹脂成形により形成されている。このウッドキャップ６は、四角の箱形形状に形成され、本体部６０の照明側の面中央部に小判穴６６が形成されている。この小判穴６６は、棚側の取り付け面まで伸びる筒状に形成されている。本体部６０の壁面には、切り欠き６１、６２、６３、６４が設けられている。本体エンド５側の壁面６０ｂの中央部には、本体エンド５の開口部５２に挿入される爪部６５が設けられている。この爪部６５の幅Ｗは、開口部５２の幅より少し大きく形成される。爪部６５は撓んで挿入され、開口部５２内に挿入されると、爪部６５の先端部６５ａが開口部５２の縁と係合し本体エンド５にウッドキャップ６が取り付けられる。
【００５３】
本体エンド５側の壁面６０ｂに設けられた切り欠き６１は、本体エンド５側から導出されるリード線が通される。切り欠き６２はリード線のコネクタを本体エンド５内に収容する際に、リード線が通される。リード線はそれぞれ使用する場所などにより、引き出される切り欠き６３又は６４が選択される。
【００５４】
木棚板にウッドキャップ６を取り付けた照明装置Ｌを取り付ける際には、本体エンド５より引き出したリード線を切り欠き６４又は切り欠き６３から引き出し、その後、小判穴６６に木ねじを通し、木ねじにより木棚板に照明装置Ｌを取り付ける。
【００５５】
次に、この発明の照明装置Ｌの組み立てる手順について、図１５から図２３を参照して説明する。本体カバー１とベースフレーム２との間の隙間に対応して突出部４１の長さを切断したスペーサ部材４を用意する。前述したように、本体カバー１とベースフレーム２との間のスペースに対応して突出部４１の長さを切断し調整する際に、支持部４１ａに設けられたスケールを参照することで、容易に作業が行える。
【００５６】
本体カバー１とＬＥＤ基板２０を保持したベースフレーム２とを用意し、本体カバー１の棚部１４、１５にベースフレーム２の棚部２３、２４を載せるようにしてスライドさせて本体カバー１内にベースフレーム２を差し込み、本体カバー１内にベースフレーム２が装着される。複数のベースフレーム２を用いる場合には、予めＬＥＤ基板２０同士をそれぞれのコネクタ２０ｂ同士を用いて接続して連結する。そして、ＬＥＤ基板２０から引き出されるリード線２０ｄは本体カバー１の側面部１３とベースフレーム２との間の空間に引き込まれ、本体カバー１の外部まで案内される。また、ベースフレーム２の溝部２５に拡散板３を取り付ける。また、ベースフレーム２の楔形の空間２３ａには、ベースフレーム２同士を接続する際の連結部材９が嵌め込まれる。図２２に示すように、連結部材９は、例えば、樹脂成形により形成され、ベースフレーム２の楔形の空間２３ａの形状にあったＵ字型に形成されている。そして、外方に突出する凸部９ａが設けられ、図２３に示すように、ベースフレーム２の楔形の空間２３ａに連結部材９を挿入すると、連結部材９は撓んで挿入され、凸部９ａにより、空間２３ａの壁面に圧接され、ベースフレーム２同士を連結する。
【００５７】
続いて、長さを調節したスペーサ部材４の本体部４０の棚部４４を本体カバー１の棚部１４、１５に係合するように、本体カバー１の棚部１４、１５上に装着すると、ベースフレーム２の端部に本体部４０が当接して、スペーサ部材４が取り付けられ、本体カバー１と一体化する。ＬＥＤ基板２０のコネクタ２０ｂは溝部４６内に挿入され、この溝部４６にリード線２０ｄのコネクタ２０ｃを挿入し、両コネクタを接続し、リード線２０ｄは本体カバー１の側面部１３とベースフレーム２との間の空間に案内され、本体カバー１の外部まで案内される。
【００５８】
ベースフレーム２の溝部２５、スペーサ部材４の溝部４５および突出部４１に拡散板３を配置した後、本体エンド５の突出片５７と一対の突片５６の間に拡散板３をはめ込み、本体エンド５を仮止めした後、ねじ穴５４、５４にねじ９０をねじ込むことで、本体カバー１に本体エンド５が固定される。また、必要に応じ本体エンド５の開口部５２にウッドキャップ６の爪部６５が挿入される。開口部５２内に爪部６５が挿入されると、爪部６５の先端部６５ａが開口部５２の縁と係合し本体エンド５にウッドキャップ６が取り付けられる。
【００５９】
このように、棚板の幅に応じて種々用意された本体カバー１に対して、スペーサ部材４の突出部４１の長さを調整することで、図１９に示すように、本体カバー１の端部とベースフレーム２の端部との間のスペースＳにスペーサ部材４が挿入され、種々の棚板に容易に対応することができる。
【００６０】
なお、図２５に示すものは、ウッドキャップ６を取り付けているが、棚板に直接照明装置Ｌを取り付けずに、ブラケットに照明装置Ｌを取り付ける場合には、ウッドキャップ６は取り付けず、後述するフラットホルダー７等を用いる。
【００６１】
次に、照明装置Ｌの両端にウッドキャップ６が取り付けられている態様につき説明する。
【００６２】
図２６ないし図２８にウッドキャップ６とＬＥＤ基板２０から導出されたリード線２０ｄの保持態様例を示す。図２６ないし図２８は、照明装置Ｌの保管時を示す照明装置の端部を背面側から見た平面図である。この図２６に示すように、リード線２０ｄのコネクタが窓部５３から本体カバー１内に収容されている。そして、リード線２０ｄは、ウッドキャップ６の凹所の内部に収容されている。このため、照明装置Ｌを保管する際にリード線２０ｄが他の部材に当接して傷つく虞などがなくなる。
【００６３】
図２７及び図２８は、ウッドキャップ６を用いて木棚板に取り付ける際のリード線２０ｄの取り出し態様を示している。図２７においては、切り欠き６４よりリード線２０ｄを取り出し、照明装置Ｌの長さ方向と平行な方向にリード線２０ｄを取り出している。図２８は、切り欠き６３よりリード線２０ｄを取り出し、照明装置Ｌの長さ方向と直交する方向にリード線２０ｄを取り出している。
【００６４】
図２９及び図３０は、照明装置Ｌの端部の側面図である。これらの図においては、本体カバー１に本体エンド５を取り付けた状態を示し、ウッドキャップ６は取り付けていない。図２９は、リード線２０ｄとコネクタ２０ｃをそのまま窓部５１から導出している状態を示している。図３０は、コネクタ２０ｃを窓部５３から本体カバー１内に収容した状態を示している。このように、保管時はコネクタ２０ｃを本体カバー１内に収容することで、コネクタ２０ｃの破損を防止することができる。
【００６５】
図３１は、この発明の実施形態にかかる陳列棚の照明装置を木板の棚板６００に取り付けた状態を示す平面図である。照明装置Ｌの両端にウッドキャップ６を取り付ける。そして、本体エンド５より引き出したリード線を切り欠き６４又は切り欠き６３から引き出す。その後、小判穴６６に木ねじ６０１を通し、木ねじ６０１により木板の棚板６００に照明装置Ｌが取り付けられる。
【００６６】
次に、棚板を載せるブラケットの先端部にこの発明の照明装置Ｌを取り付ける態様につき説明する。ブラケットの先端に照明装置Ｌを取り付けるために、照明装置Ｌにフラットホルダー７を取り付ける。
【００６７】
図３２及び図３４に示すように、フラットホルダー７は、ブラケット１１０に挟み込まれるコの字状のフック部７１と、このフック部７１を支持するベース７３と、このベース７３に対して直交する差し込み片７２とからなる。そして、本体カバー１の側面部１１と一対の爪部１１ａ、１１ａとの間にフラットホルダー７の差し込み片７２が挿入され、本体エンド５に当接するようにフラットホルダー７が取り付けられる。そして、必要に応じてフラットホルダー７に設けた穴部７４から本体カバー１にねじによりフラットホルダー７を固定する。
【００６８】
このフラットホルダー７は、両端に取り付けられるフラットホルダー７のベース７３の長さが相違している。例えば、図３３及び図３４に示す例においては、下側に位置するフラットホルダー７は、フック部７１の先端が本体カバー１の側面部１１と対向する側面に到達するように構成されている。一方、上側に位置するフラットホルダー７は、側面部１１側からすぐの位置にフック部７１が位置するようにその長さが調整されている。これは、ブラケットの左右に照明装置Ｌを配置する場合にも他方のフラットホルダー７のフック部７１が邪魔にならずに、照明装置Ｌが一直線上に配置できるようにするためである。
【００６９】
図３２は、陳列棚へこの発明の実施形態にかかる照明装置を取り付けた状態を示す斜視図である。
【００７０】
図３２に示すように、適当な間隔をおいて設置された支柱１０１にそれぞれチャンネル鋼材などからなるサポート部材１０２をタップねじ（図示しない）を用いて固定し、このサポート部材１０２に板状のブラケット１１０を係止する。さらにこのブラケット１１０上に、この発明の照明装置Ｌが取り付けられた後、ブラケット１１０上にガラス板などからなる棚板が載せられる。また、サポート部材１０２の間には必要に応じてバックボード１０５が設置される。
【００７１】
ブラケット１１０の後端部には、図示はしないが、上下２段以上のＬ字型の係止フックが形成され、サポート部材１０２はこれら係止フックが抜き差しされる上下多段のスリット１０７と、これらスリット１０７から内部に挿入された係止フックが上下に移動できる縦溝１０８とを備える。そして、前記ブラケット１１０は、サポート部材１０２の前面に形成されたスリット１０７から係止フックを挿入してブラケット１１０を下げるという手順でサポート部材１０２に係止される。
【００７２】
上記のように、サポート部材１０２に係止された左右一対のブラケット１１０、１１０にこの発明の照明装置Ｌを取り付ける。
【００７３】
上記したように、本体カバー１の両端にフラットホルダー７、７を取り付ける。フラットホルダー７のフック部７１をそれぞれブラケット１１０に係止することで、左右のブラケット１１０に照明装置Ｌを取り付けることができる。この照明装置Ｌで下段の棚板上の商品等を照明する陳列棚が得られる。
【００７４】
また、ＬＥＤ基板２０を取り付けたベースフレーム２は、本体カバー１内に配置されており、外部からは薄板状の本体カバー１が棚板の下に位置するだけであり、外観上シンプルで見栄えがよい。
【００７５】
次に、スパンが連続する場合に、この発明の照明装置の取り付ける方法につき、図３５に従い説明する。
【００７６】
図３５は、連続するスパンに棚板を載置する陳列棚へこの発明の実施形態にかかる照明装置を取り付けた状態を示す平面図である。
【００７７】
スパンが連続する場合には、１つのブラケット１１０に左右の照明装置Ｌのフラットホルダー７のフック部７１が取り付けられることになる。この発明では、上述したように、フラットホルダー７は、両端に取り付けられるフラットホルダー７のベース７３の長さが相違している。例えば、図３３及び図３４に示す例においては、下側に位置するフラットホルダー７は、フック部７１の先端が本体カバー１の側面部１１と対向する側面に到達するように構成されている。一方、上側に位置するフラットホルダー７は、側面部１１側からすぐの位置にフック部７１が位置するようにその長さが調整されている。１つのブラケット１１０に係止させるフラットホルダー７のフック部７１の位置をずらし、隣り合う本体カバー１が一直線上になるように構成したものである。
【００７８】
このように、ブラケット１１０に２つのフラットホルダー７のフック部７１が重ならないように配置されている。
【００７９】
この結果、本体カバー１に差し込んだフラットホルダー７を用いて、ブラケット１１０に本体カバー１を取り付けると、連続する本体カバー１が一直線上に配置されることになり、見栄えが良くなるばかりか、照明される位置のバラツキもなくなる。
【００８０】
次に、ブラケット１１０に照明装置を取り付ける他の例につき、図３６から図３８を参照して説明する。
【００８１】
図３６は、この発明の実施形態にかかる照明装置の本体カバーにスライドホルダーを取り付ける状態を示す斜視図、図３７は、この発明の実施形態にかかる照明装置の本体カバーにスライドホルダーを取り付けた状態を示す斜視図、図３８は、スライドホルダーを用いて照明装置をブラケットに取り付ける状態を示す模式図であり、（ａ）は回転させる状態。（ｂ）は取り付けた状態を示している。
【００８２】
図３６から図３８に示すものは、ブラケット１１０に設けられた孔部１１１を用いてオーバーハング状に照明装置Ｌを固定するものである。このため、本体カバー１の側面部１１と一対の爪部１１ａ、１１ａとの間に、スライドホルダー８が装着される。スライドホルダー８は、左右一組で２本のブラケット１１０に装着される。
【００８３】
図３６から図３８に示すように、左右一組のスライドホルダーで１つの照明装置Ｌを取り付ける。
【００８４】
スライドホルダー８は、本体カバー１の側面部１１と一対の爪部１１ａ、１１ａとの間に嵌め込まれる鋼材で構成された差し込み片８２と、本体カバー１の側面部１１から突出し、孔部１１１に挿入する係合部８３を有する突片８１とブラケット１１０に係合する断面コ字状の係止部８５を有している。さらに、差し込み片８２には、ねじ孔８４を有し、このねじ孔８４から本体カバー１にねじが締め付けられる。
【００８５】
図３６及び図３７に示すように、本体カバー１の側面部１１と一対の爪部１１ａ、１１ａとの間にスライドホルダー８の差し込み片８２を嵌め込んで挿入する。同じく、逆からもスライドホルダー８を挿入する。
【００８６】
止める位置をある程度決め、ねじ回しを用いて図示しないねじで仮止めをする。
【００８７】
図３８に示すように、ブラケット１１０の孔部１１１にスライドホルダー８の突片８１の係合部８３を差し込み、図中矢印の方向に前に倒す（（ａ）参照）。そして、ブラケット１１０に係止部８５を嵌め込み、照明装置Ｌをブラケット１１０で支持する。そして、壁に対してブラケット１１０が垂直になる位置でスライドホルダー８のねじを最後まで固定して、照明装置Ｌがブラケット１１０に固定される。
【００８８】
このように、スライドホルダー８を用いてもブラケット１１０に照明装置Ｌを取り付けることができるので、陳列棚の用途に応じて、取り付け方法を選択することができる。
【００８９】
次に、この発明の第２の実施形態につき、図３９から図４３に従い説明する。この第２の実施形態は、第１の実施形態が、スペーサ部材４の一対の突出部４１の長さを調整し、本体カバー１の端部とベースフレーム２の端部との間のスペースＳにスペーサ部材４が挿入するように構成されているのに対し、この発明の第２の実施形態のスペーサ部材４ａは、突出部４１が板状に形成されている。
【００９０】
図３９は、この発明の第２の実施形態のスペーサ部材を示す斜視図であり、（ａ）は斜視図、（ｂ）は底面図である。図４０は、この発明の第２の実施形態のスペーサ部材を示す上面図である。図４１は、この発明の第２の実施形態のスペーサ部材を示し、（ａ）は左側面図、（ｂ）は右側面図、（ｃ）は正面図、（ｄ）は背面図である。
【００９１】
前述したように、スペーサ部材４ａは、本体カバー１の左右にそれぞれ取り付けられるもので、左右のスペーサ部材４ａは、左右対象に形成されている。この第２の実施形態においては、一方のスペーサ部材４ａを図示し、他方のスペーサ部材４ａも左右対象以外は、その構成は同じであるので、図示は省略している。
【００９２】
図３９ないし図４１に示すように、スペーサ部材４ａは、例えば、樹脂成形により形成され、スペーサ部材４ａの本体部４０の両側部に本体部４０と直交する方向に延在して板状の突出部４１１が形成されている。本体部４０は、この第２の実施形態では、厚さが１０ｍｍである。この第２の実施形態では、突出部４１１は４５ｍｍの長さを有している。左右に一対のスペーサ部材４ａを本体カバー１に取り付けるので、本体カバー１とベースフレーム２との間のスペースを０から１１０ｍｍの範囲で補うことが可能である。
【００９３】
突出部４１１は、中央部に拡散板３を支える板状の支持部４１ａ１と、両側に本体カバー１の棚部１４又は棚部１５の上に載置される段部４１ｂ１とを有する。この段部４１ｂ１は支持部４１ａ１の上面よりベースフレーム２の溝部２５の幅の分だけ上に段差を有して形成されている。支持部４１ａ１の外表面は、スペーサ部材４ａを装着した際、ベースフレーム２の溝部２５の外表面と面一になるように形成されている。そして、その色合いもベースフレーム２の外表面と同じにし、スペーサ部材４ａを装着して照明側から見ても違和感がないように構成している。そして、支持部４１ａ１の本体エンド５側に、本体エンド５の突出片５７が嵌まり込む凹部４１ｃが設けられている。
【００９４】
支持部４１ａ１の段部４１ｂ１に近接する拡散板３を支持する側の表面には、突出部４１１の長さを示すスケールが設けられている。本体カバー１とベースフレーム２との間の隙間に対応して突出部４１１の長さを切断し調整する際に、このスケールにより容易に切断加工が行える。この第２の実施形態においては、突出部４１１が１つの板状に形成されているので、１度の切断作業で所定の長さに形成することができ、左右の長さの違いも起こらない。また、後述するように、照明側から見ると、拡散板３の上に支持部４１ａ１が配置されることになる。この結果、拡散板３の寸法精度に余裕ができる。即ち、本体カバー１の長さよりも短くても支持部４１ａ１で覆われるので、拡散板３の切断サイズの誤差をある程度吸収することができる。更に、支持部４１ａ１で覆われた部分は、光が透過せず、発光面と非発光面を明確に区別することができる。
【００９５】
本体部４０には、第１の実施形態と同様に、本体カバー１の壁部１６に当接し、ベースフレーム２の突出部２１と連接する突出部４７が設けられている。更に、本体部４０には、本体カバー１の棚部１５上に載置される棚部４４が設けられ、この棚部４４は、スペーサ部材４ａを取り付けた際に、ベースフレーム２の棚部２４と連なるように構成されている。また、本体部４０に、ベースフレーム２の反射面２２と連なる反射面４２ａを有する凸部４２が設けられている。
【００９６】
スペーサ部材４ａの本体部４０に、ベースフレーム２の楔形の空間２３ａと係合する凸部４８が設けられている。更に本体部４０に、ＬＥＤ基板２０のコネクタ２０ｂが挿入される溝部４６が設けられている。この溝部４６にリード線のコネクタ２０ｃが挿入され、ＬＥＤ基板２０のコネクタ２０ｂとリード線が取り付けられる。
【００９７】
図４２、図４３に示すように、スペーサ部材４ａの本体部４０の棚部４４を本体カバー１の棚部１４、棚部１５に係合するように、本体カバー１の棚部１４、棚部１５上に装着すると、ベースフレーム２の端部と当接して、スペーサ部材４ａが取り付けられ、本体カバー１と一体化する。図４３に示すように、拡散板３の上に支持部４１ａ１が配置されることになる。ＬＥＤ基板２０から引き出されるリード線２０ｄは本体カバー１の側面部１３とベースフレーム２との間の空間に引き込まれ、本体カバー１の外部まで案内される。
【００９８】
ベースフレーム２の溝部２５、２５間に、拡散板３を挿入し、拡散板３を取り付ける。ＬＥＤ光源からの光は反射面２２で反射され、拡散板３から光が放射される。
【００９９】
スペーサ部材４ａを取り付けた後、本体エンド５が取り付けられる。本体エンド５は、スペーサ部材４ａを取り付けた本体カバー１の左右にそれぞれ取り付けられる。
【０１００】
前述したように、本体エンド５の突出片５７と一対の突片５６の間に拡散板３をはめ込み、本体エンド５を仮止めした後、ねじ穴５４、５４にねじ９０をねじ込むことで、本体カバー１に本体エンド５が固定される。
【０１０１】
本体カバー１に本体エンド５を取り付けると、本体カバー１、ベースフレーム２の端面及びスペーサ部材４ａは本体エンド５により覆われる。そして、リード線を引き出す窓部５１、コネクタを収容する窓部５３、ウッドキャップ６を取り付けるための開口部５２が露出した状態となる。
【０１０２】
前述した第１の実施形態と同様に、開口部５２に爪部６５が挿入されると、爪部６５の先端部６５ａが開口部５２の縁と係合し本体エンド５にウッドキャップ６が取り付けられる。
【０１０３】
このように、この第２の実施形態においても第１の実施形態と同様に、棚板の幅に応じて種々用意された本体カバー１に対して、スペーサ部材４ａの突出部４１１の長さを調整することで、本体カバー１の端部とベースフレーム２の端部との間のスペースにスペーサ部材４ａが挿入され、種々の棚板に容易に対応することができる。
【０１０４】
この第２の実施形態においても、第１の実施形態と同様に、木板の棚板に取り付ける場合には、照明装置Ｌの両端にウッドキャップ６を取り付ける。そして、本体エンド５より引き出したリード線を切り欠き６４又は切り欠き６３から引き出し、小判穴６６に木ねじを通し、木ねじにより木板の棚板に照明装置を取り付ける。
【０１０５】
また、棚板を載せるブラケットの先端部にこの発明の第２の実施形態にかかる照明装置Ｌを取り付ける場合には、前述した第１の実施形態と同様に、照明装置Ｌにフラットホルダー７又はスライドホルダー８を取り付ける。フラットホルダー７又はスライドホルダー８を用いて、ブラケットの先端部に照明装置Ｌを取り付ける。
【０１０６】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【０１０７】
Ｌ  照明装置
１  本体カバー
１０  平板部
１１、１３  側面部
１１ａ  爪部
１２  開口部
１４、１５  棚部
１６  壁部
２  ベースフレーム
２０  ＬＥＤ基板
２０ａ  テーパー面
２２  反射面
２３、２４  棚部
２５  溝
３  拡散板
４、４ａ  スペーサ部材
４０  本体部
４１  突出部
４１ａ  支持部
４１ｂ  段部
５  本体エンド
６  ウッドキャップ
７  フラットホルダー
８  スライドホルダー
【図１】
2015039491.tif 000003
【図２】
2015039491.tif 000004
【図３】
2015039491.tif 000005
【図４】
2015039491.tif 000006
【図５】
2015039491.tif 000007
【図６】
2015039491.tif 000008
【図７】
2015039491.tif 000009
【図８】
2015039491.tif 000010
【図９】
2015039491.tif 000011
【図１０】
2015039491.tif 000012
【図１１】
2015039491.tif 000013
【図１２】
2015039491.tif 000014
【図１３】
2015039491.tif 000015
【図１４】
2015039491.tif 000016
【図１５】
2015039491.tif 000017
【図１６】
2015039491.tif 000018
【図１７】
2015039491.tif 000019
【図１８】
2015039491.tif 000020
【図１９】
2015039491.tif 000021
【図２０】
2015039491.tif 000022
【図２１】
2015039491.tif 000023
【図２２】
2015039491.tif 000024
【図２３】
2015039491.tif 000025
【図２４】
2015039491.tif 000026
【図２５】
2015039491.tif 000027
【図２６】
2015039491.tif 000028
【図２７】
2015039491.tif 000029
【図２８】
2015039491.tif 000030
【図２９】
2015039491.tif 000031
【図３０】
2015039491.tif 000032
【図３１】
2015039491.tif 000033
【図３２】
2015039491.tif 000034
【図３３】
2015039491.tif 000035
【図３４】
2015039491.tif 000036
【図３５】
2015039491.tif 000037
【図３６】
2015039491.tif 000038
【図３７】
2015039491.tif 000039
【図３８】
2015039491.tif 000040
【図３９】
2015039491.tif 000041
【図４０】
2015039491.tif 000042
【図４１】
2015039491.tif 000043
【図４２】
2015039491.tif 000044
【図４３】
2015039491.tif 000045